【手続補正書】
【提出日】平成24年4月3日(2012.4.3)
【手続補正１】
【補正対象書類名】明細書
【補正対象項目名】０００１
【補正方法】変更
【補正の内容】
【０００１】
この発明は、ブルーレイ・ディスク（ＢＤ）やＤＶＤなどのデジタル・ディスク・レコーダやハードディスク（ＨＤＤ）レコーダーなど、放送番組を記録し、記録した番組と番組情報を管理し、再生する放送番組記録再生装置に関するものである。
【手続補正２】
【補正対象書類名】明細書
【補正対象項目名】０００２
【補正方法】変更
【補正の内容】
【０００２】
従来の放送番組記録再生装置に係る技術として、たとえば特許文献１が存在する。当該放送番組記録再生装置では、放送信号に重畳されたＥＰＧ（電子番組表、Ｅｌｅｃｔｒｏｎｉｃ  Ｐｒｏｇｒａｍ  Ｇｕｉｄｅ）データから取得する番組情報と、記録時の録画日時、チャンネル、録画モードなどの録画情報とを、放送番組名と関連付けて管理している。また、記録媒体に記録されている放送番組を再生する場合には、当該放送番組記録再生装置は、番組名を表示した記録済み放送番組一覧表を表示部に表示させ、使用者に所望の記録済み放送番組を選択させる。これにより、放送番組記録再生装置は、当該所望の記録済み放送番組を再生することができる。また、記録済み放送番組の再生中に、番組名や番組情報をテキスト（文字）表示にて表示部に表示させる機能を、当該放送番組記録再生装置は有していた。
【手続補正３】
【補正対象書類名】明細書
【補正対象項目名】０００４
【補正方法】変更
【補正の内容】
【０００４】
デジタル・ディスク・レコーダでは、使用する記録媒体の大容量化と録画の手軽さとから、１つのメディアに複数の番組を録画する機会が多くなっている。特に、記録媒体にＨＤＤを用いた放送番組記録再生装置では、数百番組を保存することも可能になっている。
【手続補正４】
【補正対象書類名】明細書
【補正対象項目名】０００５
【補正方法】変更
【補正の内容】
【０００５】
このように多数の番組が記録媒体に保存されている状態において、１つの番組を選択するに際して、記録済み放送番組一覧を表示して、番組名と番組情報、録画情報を羅列させたとする。当該場合には、使用者が所望の記録済み放送番組を見つけるまでに、時間を要してしまうという問題点があった。
【手続補正５】
【補正対象書類名】明細書
【補正対象項目名】０００８
【補正方法】変更
【補正の内容】
【０００８】
当該装置内部生成メタデータが、例えば本編再生などの利便性の高い再生の際に使用されるものである場合には、装置内部生成メタデータを使用した利便性の高い再生が可能な放送番組と、当該再生ができない放送番組とが混在して、一覧表に表示されてしまうという欠点がある。よって、使用者が番組一覧表の中で、放送番組毎に装置内部生成メタデータの有無を確認する必要があった。つまり、利便性の高い再生が可能な放送番組を選択するまでに、手間隙がかかり結果として長時間要するという問題があった。
【手続補正６】
【補正対象書類名】明細書
【補正対象項目名】００１７
【補正方法】変更
【補正の内容】
【００１７】
＜構成＞
図１に示すように、放送番組記録再生装置１は、アンテナ１００、チューナー１０１、パーシャルストリーム生成部１０２、ストリーム制御部１０３、記録部１０４、ストリームパーサー１０５、ＡＶデコーダ１０６、番組情報検出部１０７、メタデータ生成部１０８、管理情報生成部１０９、グラフィックス生成部１１０、映像音声出力部１１１、表示部１１２、スピーカ１１３、および番組選択部１１４を、備えている。
【手続補正７】
【補正対象書類名】明細書
【補正対象項目名】００１９
【補正方法】変更
【補正の内容】
【００１９】
なお、当該放送番組記録生成装置１には、図示は省略しているが、ブルーレイ・ディスク（ＢＤ）やＤＶＤなどのデジタルディスクの取り入れ・取り出し可能なディスク取入出部も備えている。
【手続補正８】
【補正対象書類名】明細書
【補正対象項目名】００２０
【補正方法】変更
【補正の内容】
【００２０】
ストリーム制御部１０３は、上記記録部１０４へのパーシャルストリームの記録、および上記記録部１０４からのパーシャルストリームの読み出しを行う。ストリームパーサー１０５は、パーシャルストリームから映像データ、音声データ、および番組情報を含むテーブルデータ等を分離する。ＡＶデコーダ１０６は、ストリームパーサー１０５で分離した映像データおよび音声データから、映像音声信号にデコード（復号）する。番組情報検出部１０７は、ストリームパーサー１０５で分離したテーブルデータに含まれている、番組名等の番組情報を抽出する。
【手続補正９】
【補正対象書類名】明細書
【補正対象項目名】００２１
【補正方法】変更
【補正の内容】
【００２１】
メタデータ生成部１０８は、放送番組の記録動作または再生動作を通じて、当該放送番組に関する装置内部生成メタデータを生成する。たとえば、メタデータ生成部１０８は、放送番組の記録動作の際に、放送番組に含まれる音声データおよび／または映像データの変化を示す特徴情報を用いて、装置内部生成メタデータを作成する。具体的に、メタデータ生成部１０８は、ＡＶデコーダ１０６が映像音声信号にデコードする際に生成される映像音声の特徴情報と、番組情報検出部１０７で検出された番組情報とを関連付けてメタデータを生成する。
【手続補正１０】
【補正対象書類名】明細書
【補正対象項目名】００２９
【補正方法】変更
【補正の内容】
【００２９】
ここで、現在放送されている放送番組を視聴する場合には、ストリーム制御部１０３により、パーシャルストリームがストリームパーサー１０５に出力される。そして、ストリームパーサー１０５は、パーシャルストリームを映像データ・音声データ・テーブルデータに分離し、ＡＶデコーダ１０６に映像データおよび音声データを、番組情報検出部１０７にテーブルデータを振り分ける。
【手続補正１１】
【補正対象書類名】明細書
【補正対象項目名】００３０
【補正方法】変更
【補正の内容】
【００３０】
ＡＶデコーダ１０６では、映像データと音声データとがデコードされ、放送番組の映像音声信号が復元される。また、番組情報検出部１０７では、テーブルデータから番組名などの一次的な番組情報を検出する。なお、当該検出された番組情報は、グラフィックス生成部１１０などでテキスト（文字）情報等に変換され、映像音声信号に重畳される。グラフィックスが重畳された映像音声信号は、最終的に映像音声出力部１１１により、表示部１１２やスピーカ１１３において出力される。
【手続補正１２】
【補正対象書類名】明細書
【補正対象項目名】００３４
【補正方法】変更
【補正の内容】
【００３４】
ここで、当該装置内部生成メタデータは、番組情報検出部１０７で検出された番組情報と関連付けられ、管理情報生成部１０９により、管理情報の一部として合成される。当該合成後の管理情報は、上記の通り記録部１０４に格納され、録画した放送番組を再生する際に使用される。
【手続補正１３】
【補正対象書類名】明細書
【補正対象項目名】００３６
【補正方法】変更
【補正の内容】
【００３６】
他方、記録部１０４に記録された所定の放送番組を再生する場合には、ストリーム制御部１０３は、管理情報を用いて、記録部１０４から所定の放送番組のパーシャルストリームを読み出し、ストリームパーサー１０５に出力する。ストリームパーサー１０５は、パーシャルストリームを映像データ・音声データ・テーブルデータに分離し、ＡＶデコーダ１０６に映像データおよび音声データを、番組情報検出部１０７にテーブルデータを振り分ける。
【手続補正１４】
【補正対象書類名】明細書
【補正対象項目名】００３７
【補正方法】変更
【補正の内容】
【００３７】
ＡＶデコーダ１０６では、映像データと音声データとがデコードされ、放送番組の映像音声信号が復元される。また、番組情報検出部１０７では、テーブルデータから番組名などの一次的な番組情報を検出する。なお、当該検出された番組情報は、グラフィックス生成部１１０などでテキスト（文字）情報等に変換され、映像音声信号に重畳される。グラフィックスが重畳された映像音声信号は、最終的に映像音声出力部１１１により、表示部１１２やスピーカ１１３において出力される。
【手続補正１５】
【補正対象書類名】明細書
【補正対象項目名】００６１
【補正方法】変更
【補正の内容】
【００６１】
すると、表示部１１２は、一覧３００の場合とは異なり、本編再生用メタデータが関連付けられている各記録済み放送番組のみをまとめた一覧４００が表示される。つまり、本編再生ボタン２０２の押下操作に対応した特定の種類の装置内部生成メタデータ（ここでは、本編再生用メタデータ）と関係付けられている記録済み放送番組のみから成る一覧４００が、表示部１１２に表示される。図４は、本編再生ボタン２０２が押下されたときに表示部１１２に表示される、一覧４００を例示する図である。
【手続補正１６】
【補正対象書類名】明細書
【補正対象項目名】００６７
【補正方法】変更
【補正の内容】
【００６７】
すると、表示部１１２は、一覧３００の場合とは異なり、スポーツハイライト再生用メタデータが関連付けられている各記録済み放送番組のみをまとめた一覧５００が表示される。つまり、スポーツハイライト再生ボタン２０３の押下操作に対応した特定の種類の装置内部生成メタデータ（ここでは、スポーツハイライト再生用メタデータ）と関係付けられている記録済み放送番組のみから成る一覧５００が、表示部１１２に表示される。図５は、スポーツハイライト再生ボタン２０３が押下されたときに表示部１１２に表示される、一覧５００を例示する図である。
【手続補正１７】
【補正対象書類名】明細書
【補正対象項目名】００７３
【補正方法】変更
【補正の内容】
【００７３】
すると、表示部１１２は、一覧３００の場合とは異なり、音楽シーン再生用メタデータが関連付けられている各記録済み放送番組のみをまとめた一覧６００が表示される。つまり、音楽シーン再生ボタン２０４の押下操作に対応した特定の種類の装置内部生成メタデータ（ここでは、音楽シーン再生用メタデータ）と関係付けられている記録済み放送番組のみから成る一覧６００が、表示部１１２に表示される。図６は、音楽シーン再生ボタン２０４が押下されたときに表示部１１２に表示される、一覧６００を例示する図である。
【手続補正１８】
【補正対象書類名】明細書
【補正対象項目名】００９３
【補正方法】変更
【補正の内容】
【００９３】
そこで、一覧３００，４００，５００，６００の表示を指示する信号が放送番組記録再生装置１に入力されたとき（換言すれば、各ボタン２０１〜２０４の何れかが押下されたとき）、本実施の形態に係る放送番組記録再生装置１では、リムーバブルな記録媒体でなく、固定内蔵記録媒体である記録部１０４を自動的に指定する。そして、当該放送番組記録再生装置１は、当該記録部１０４のみに格納されている情報を基に、一覧３００，４００，５００，６００の作成を行う。
【手続補正１９】
【補正対象書類名】明細書
【補正対象項目名】０１０６
【補正方法】変更
【補正の内容】
【０１０６】
１  放送番組記録再生装置、１００  アンテナ、１０１  チューナー、１０２  パーシャルストリーム生成部、１０３  ストリーム制御部、１０４  記録部、１０５  ストリームパーサー、１０６  ＡＶデコーダ、１０７  番組情報検出部、１０８  メタデータ生成部、１０９  管理情報生成部、１１０  グラフィックス生成部、１１１  映像音声出力部、１１２  表示部、１１３  スピーカ、２００  リモートコントローラ、２０１  録画リスト表示ボタン、２０２  本編再生ボタン、２０３  スポーツハイライト再生ボタン、２０４  音楽シーン再生ボタン、２０５  上下左右ボタン、２０６  再生操作ボタン、２０７  決定ボタン、２０８  操作ボタン、３００，４００，５００，６００  一覧、３０１，４０１，５０１，６０１  カーソル、３０２  本編再生メタデータ表示、３０３  スポーツハイライト再生メタデータ表示、３０４  音楽シーン再生メタデータ表示、３０５  プルダウンメニュー。
【手続補正２０】
【補正対象書類名】図面
【補正対象項目名】図１
【補正方法】変更
【補正の内容】
【図１】
2011023781.tif 000001